(57)【特許請求の範囲】
【請求項１】
通信回線を介して任意の相手先通信端末と送受信するための送受信器を備えるとともに、各相手先通信端末に割り当てられた識別情報を表示可能な表示パネルが上記送受信器の所定部位に設けられており、一の相手先通信端末との通信時、別の相手先通信端末からの呼出信号を受信すると、所定の切り替え操作に応じて、上記一の相手先通信端末から上記別の相手先通信端末に通信相手を切り替えることが可能な通信装置であって、
上記一の相手先通信端末との通信中、上記別の相手先通信端末からの呼出信号を受信した場合、その別の相手先通信端末の識別情報を上記表示パネルに表示させる相手先表示制御手段と、
上記一の相手先通信端末との通信中、上記別の相手先通信端末からの呼出信号を受信した場合、所定の保留操作に応じて、上記両相手先との通信を一旦中断して保留状態とする保留制御手段と、
上記保留制御手段によって上記両相手先との通信が保留状態とされた後、その保留状態を解除するために必要な所定の保留解除操作がなされたか否かを判定する保留解除判定手段と、
上記保留解除判定手段により所定の保留解除操作がなされたと判定された場合、上記一の相手先通信端末または上記別の相手先通信端末のいずれかの相手先との通信を再開させる通信再開制御手段とを有することを特徴とする通信装置。
【請求項２】
上記保留解除判定手段は、上記所定の保留解除操作として、通信中であった通信相手を選択する再選操作、または通信相手を切り替える切り替え操作がなされたか否かを判定しており、上記通信再開制御手段は、上記保留解除判定手段により上記再選操作がなされたと判定されると、上記一の相手先通信端末との通信を再開させる一方、上記保留解除判定手段により上記切り替え操作がなされたと判定されると、上記別の相手先通信端末との通信を開始させる、請求項１に記載の通信装置。
【請求項３】
上記送受信器は、マイクロホンおよびスピーカを内蔵した把持可能な送受話器である、請求項１または請求項２に記載の通信装置。
【請求項４】
上記送受話器は、通信装置本体と無線方式で情報交換するコードレス型である、請求項３に記載の通信装置。
【請求項５】
上記送受話器は、把持されない状態で上記マイクロホンおよびスピーカを介した通話が可能であり、上記送受話器が把持されない状態で通話中の場合、上記保留制御手段は、保留制御を行うことなく、所定の切り替え操作がなされた直後に、上記別の相手先通信端末との通信を開始させている、請求項３または請求項４に記載の通信装置。
【請求項６】
通信回線を介して任意の相手先通信端末と送受信するための送受信器を備えるとともに、各相手先通信端末に割り当てられた識別情報を表示可能な表示パネルが上記送受信器の所定部位に設けられており、一の相手先通信端末との通信時、別の相手先通信端末からの呼出信号を受信すると、所定の切り替え操作に応じて、上記一の相手先通信端末から上記別の相手先通信端末に通信相手を切り替えることが可能な通信装置を制御するためのプログラムを記憶した記憶媒体であって、
上記一の相手先通信端末との通信中、上記別の相手先通信端末からの呼出信号を受信した場合、その別の相手先通信端末の識別情報を上記表示パネルに表示させるための相手先表示制御プログラムと、
上記一の相手先通信端末との通信中、上記別の相手先通信端末からの呼出信号を受信した場合、所定の保留操作に応じて、上記両相手先との通信を一旦中断して保留状態とするための保留制御プログラムと、
上記保留制御プログラムに基づいて上記両相手先との通信が保留状態とされた後、その保留状態を解除するために必要な所定の保留解除操作がなされたか否かを判定するための保留解除判定プログラムと、
上記保留解除判定プログラムに基づいて所定の保留解除操作がなされたと判定された場合、上記一の相手先通信端末または上記別の相手先通信端末のいずれかの相手先との通信を再開させるための通信再開制御プログラムとを含むことを特徴とする記憶媒体。
【発明の詳細な説明】
【０００１】
【発明の属する技術分野】
本発明は、任意の相手先通信端末と送受信器を介して通信可能な、たとえばコードレス電話などの送受話器を備えた通信装置、およびその通信装置を動作させるためのプログラムを記憶した記憶媒体に関する。
【０００２】
【従来の技術】
従来より、この種の代表的な通信装置には、コードレス電話がある。コードレス電話では、電話機本体が電話回線を介して音声信号などの送受信を行い、その電話機本体と無線で情報交換する送受話器が、電話機本体の所定位置に、あるいは電話機本体とは別の充電器などに子機電話として保持されている。このような送受話器、特に子機電話として使用されるものには、相手先の電話番号などを入力するためのテンキーや、入力した電話番号などを表示する表示パネルが所定部位に設けられている。また、このような送受話器には、フックスイッチが設けられており、このフックスイッチを１回押下することによって通話の開始・終了が可能とされている。たとえば、相手先との通話を終えて回線を切断したい場合には、フックスイッチを押下することによって交換局に終話信号が送出されて回線が切断される。
【０００３】
一方、電話回線を介して提供されるサービスの一つとして、一の相手先との通話中に別の相手先から呼び出しを受けた場合、通話音に重ねて呼び出し音を伝送する、いわゆるキャッチホンサービスがある。このキャッチホンサービスの提供を受けた送受話器では、一の相手先との通話中に別の相手先からの呼出信号を受信した場合、上記フックスイッチを１回押下することによって通話相手が切り替えられている。
【０００４】
また、最近においては、電話回線を介して提供される他のサービスとして、呼び出し時に相手先の電話番号を通知するサービスがあり、このような番号通知サービスを受けた送受話器では、相手先から呼出信号を受信すると、上記表示パネルにその相手先の電話番号が表示されるようになっている。このようにして相手先からの呼び出しを受けた使用者は、表示パネルに表示される相手先の電話番号を確認することによって、その相手先と通話するかしないかの予断が可能とされている。
【０００５】
【発明が解決しようとする課題】
しかし、上記従来のコードレス電話において、キャッチホンサービスおよび番号通知サービスを受ける場合、以下に述べるような不具合が存在した。
【０００６】
つまり、コードレス電話、特に子機電話として利用される送受話器では、その送受話器を使用して一の相手先と通話中、別の相手先から呼出信号を受信すると、その別の相手先電話番号を確認するために、表示パネルを視認可能な姿勢としなければならない。そのため、一の相手先と通話状態としたまま送受話器を一旦顔付近から離し、表示パネルにより別の相手先電話番号を確認しなければならないので、先に通話中であった一の相手先との通話に空き時間が生じてしまい、先に通話中の相手先にとって通話に混乱を生じてしまう。すなわち、先に通話中の相手先と通話状態としたまま、別の相手先電話番号を表示パネルによって確認するか、あるいは相手先電話番号を確認することなく、通話相手を強制的に切り替えるかのいずれかの選択の余地しかなかった。
【０００７】
本発明は、上記の点に鑑みて提案されたものであって、送受信器を使用して一の相手先と通信中、別の相手先から呼出信号を受信した場合、一時的に両相手先との通信を行うことなく保留させることができる通信装置、およびその通信装置を動作させるためのプログラムを記憶した記憶媒体を提供することを目的とする。
【０００８】
【課題を解決するための手段】
上記目的を達成するために、請求項１に記載した発明の通信装置は、通信回線を介して任意の相手先通信端末と送受信するための送受信器を備えるとともに、各相手先通信端末に割り当てられた識別情報を表示可能な表示パネルが上記送受信器の所定部位に設けられており、一の相手先通信端末との通信時、別の相手先通信端末からの呼出信号を受信すると、所定の切り替え操作に応じて、上記一の相手先通信端末から上記別の相手先通信端末に通信相手を切り替えることが可能な通信装置であって、上記一の相手先通信端末との通信中、上記別の相手先通信端末からの呼出信号を受信した場合、その別の相手先通信端末の識別情報を上記表示パネルに表示させる相手先表示制御手段と、上記一の相手先通信端末との通信中、上記別の相手先通信端末からの呼出信号を受信した場合、所定の保留操作に応じて、上記両相手先との通信を一旦中断して保留状態とする保留制御手段と、上記保留制御手段によって上記両相手先との通信が保留状態とされた後、その保留状態を解除するために必要な所定の保留解除操作がなされたか否かを判定する保留解除判定手段と、上記保留解除判定手段により所定の保留解除操作がなされたと判定された場合、上記一の相手先通信端末または上記別の相手先通信端末のいずれかの相手先との通信を再開させる通信再開制御手段とを有することを特徴としている。
【０００９】
この通信装置によれば、一の相手先通信端末との通信中、別の相手先通信端末からの呼出信号を受信した場合、その別の相手先通信端末の識別情報が表示パネルに表示されるとともに、所定の保留操作を行うことによって一時的に両相手先との通信を行うことなく保留させることができ、その保留後、所定の保留解除操作によっていずれかの相手先との通信を再開させることができる。
【００１０】
なお、通信装置としては、通信装置本体と送受信器とを別個に備えたもの、あるいは送受信器自体が通信装置そのものとされる、いずれの形態であってもよい。たとえば、各種形態の電話機や携帯電話などが好適とされる。
【００１１】
通信回線としては、公衆電話回線であっても専用回線であってもよく、また有線であっても無線であってもよい。
【００１２】
表示パネルとしては、たとえばＬＣＤなどの文字表示可能な表示ディスプレイが最適であるが、これに限ることはなく、ＬＥＤによるセグメント表示パネルなどのように識別情報を表示できるものであればその他の表示パネルであってもよい。
【００１３】
識別情報としては、電話回線を介した提供サービスにより通知される相手先の電話番号が適しているが、その他の情報であってもよい。
【００１４】
切り替え操作、保留操作、保留解除操作それぞれは、各操作別に設けられた複数個のキースイッチによって実現可能であるが、たとえば一つのキースイッチにより、たとえば１回の押下、または連続した２回の押下などで異なる操作としてもよく、あるいは一つのキースイッチの操作順序によっては、たとえば切り替え操作および保留操作を同一のキースイッチを押下することによって実現させてもよい。
【００１５】
また、請求項２に記載した発明の通信装置は、請求項１に記載の通信装置であって、上記保留解除判定手段は、上記所定の保留解除操作として、通信中であった通信相手を選択する再選操作、または通信相手を切り替える切り替え操作がなされたか否かを判定しており、上記通信再開制御手段は、上記保留解除判定手段により上記再選操作がなされたと判定されると、上記一の相手先通信端末との通信を再開させる一方、上記保留解除判定手段により上記切り替え操作がなされたと判定されると、上記別の相手先通信端末との通信を開始させる。
【００１６】
この通信装置によれば、請求項１に記載の通信装置による効果に加えて、両相手先との通信が保留された後、再選操作に応じて通信中であった通信相手との通信が再開され、それに対し、切り替え操作に応じて呼び出しを受けた通信相手との通信が開始されるので、通信が保留された後の操作手順に応じて所望の通信相手を選択することができる。
【００１７】
さらに、請求項３に記載した発明の通信装置は、請求項１または請求項２に記載の通信装置であって、上記送受信器は、マイクロホンおよびスピーカを内蔵した把持可能な送受話器である。
【００１８】
この通信装置によれば、請求項１または請求項２に記載の通信装置による効果に加えて、送受信器がマイクロホンおよびスピーカを内蔵した把持可能な送受話器であるので、そのような送受話器を備えた、たとえば各種形態の電話機や携帯電話などにおいて有効に利用することができる。
【００１９】
また、請求項４に記載した発明の通信装置は、請求項３に記載の通信装置であって、上記送受話器は、通信装置本体と無線方式で情報交換するコードレス型である。
【００２０】
この通信装置によれば、請求項３に記載の通信装置による効果に加えて、送受話器が通信装置本体と無線方式で情報交換するコードレス型であるので、そのようなコードレス型の送受話器を備えた、たとえば電話機本体とは別の充電器などに保持される子機電話などにおいて有効に利用することができる。
【００２１】
さらに、請求項５に記載した発明の通信装置は、請求項３または請求項４に記載の通信装置であって、上記送受話器は、把持されない状態で上記マイクロホンおよびスピーカを介した通話が可能であり、上記送受話器が把持されない状態で通話中の場合、上記保留制御手段は、保留制御を行うことなく、所定の切り替え操作がなされた直後に、上記別の相手先通信端末との通信を開始させている。
【００２２】
この通信装置によれば、請求項３または請求項４に記載の通信装置による効果に加えて、送受話器を手に取ることなく通話されている場合、切り替え操作がなされた時点で別の相手先との通話が可能となるので、たとえば子機電話などにおける一機能として、いわゆるスピーカホン機能を使用している状況において有効に利用することができる。
【００２３】
また、請求項６に記載した発明の記憶媒体は、通信回線を介して任意の相手先通信端末と送受信するための送受信器を備えるとともに、各相手先通信端末に割り当てられた識別情報を表示可能な表示パネルが上記送受信器の所定部位に設けられており、一の相手先通信端末との通信時、別の相手先通信端末からの呼出信号を受信すると、所定の切り替え操作に応じて、上記一の相手先通信端末から上記別の相手先通信端末に通信相手を切り替えることが可能な通信装置を制御するためのプログラムを記憶した記憶媒体であって、上記一の相手先通信端末との通信中、上記別の相手先通信端末からの呼出信号を受信した場合、その別の相手先通信端末の識別情報を上記表示パネルに表示させるための相手先表示制御プログラムと、上記一の相手先通信端末との通信中、上記別の相手先通信端末からの呼出信号を受信した場合、所定の保留操作に応じて、上記両相手先との通信を一旦中断して保留状態とするための保留制御プログラムと、上記保留制御プログラムに基づいて上記両相手先との通信が保留状態とされた後、その保留状態を解除するために必要な所定の保留解除操作がなされたか否かを判定するための保留解除判定プログラムと、上記保留解除判定プログラムに基づいて所定の保留解除操作がなされたと判定された場合、上記一の相手先通信端末または上記別の相手先通信端末のいずれかの相手先との通信を再開させるための通信再開制御プログラムとを含むことを特徴としている。
【００２４】
この記憶媒体によれば、記憶されたプログラムに基づいてＣＰＵを動作させることにより、請求項１に記載の通信装置の動作を実現することができる。
【００２５】
【発明の実施の形態】
以下、本発明の好ましい実施の形態ついて図面を参照して具体的に説明する。
【００２６】
図１は、本発明にかかる通信装置の一例として、コードレス型の子機電話を備えた電話機の使用形態を示した概略説明図であって、この電話機は、電話回線２１を介して音声信号などを送受信する電話機本体Ａと、電話機本体Ａとは別の充電器Ｂに子機電話として保持された送受話器Ｃとを具備して構成されている。なお、本実施形態における電話機本体Ａは、無線方式によって子機電話と情報交換可能な従来より周知の親機電話と同一形態であり、この電話機本体Ａでは、電話番号を入力するためのテンキーや通話を行うための送受話器を具備していないが、もちろんそのようなテンキーや送受話器を備えたものであってもよい。たとえば、電話機本体Ａが画像情報の送受信可能なファクシミリ装置であってもよい。このような電話機本体Ａは、従来より周知の親機電話の機能と同一であることから、その詳細な説明を省略する。
【００２７】
充電器Ｂには、家庭電源からの電力を送受話器Ｃに供給するための端子（図示せず）が所定箇所に設けられており、送受話器Ｃが充電器Ｂに保持された状態では、その端子を通じて充電器Ｂから送受話器Ｃに常時電力が供給されている。送受話器Ｃが充電器Ｂから手に取られて離脱されると、端子との接続が解除され、それによって送受話器Ｃへの電力供給が停止されると同時に、通話可能なオフフック状態となる。
【００２８】
送受話器Ｃには、相手先と通話するためのマイクロホン部Ｃ１およびスピーカ部Ｃ２が設けられている。さらに、その同一面側の所定部位には、相手先電話番号などを入力するためのテンキーなどからなるキースイッチ群Ｃ３が設けられているとともに、詳細については後述するが、呼び出しを受けた際にその相手先電話番号を表示するためのＬＣＤなどからなる表示パネルＣ４が設けられている。また、キースイッチ群Ｃ３の特定機能を果たすキースイッチとしては、送受話器Ｃを用いて通話する場合や終話する場合に、オフフック状態あるいはオンフック状態にするためのフックスイッチＣ３ａがあるとともに、詳細については後述するが、通話が保留状態とされた場合にその保留を解除するための保留解除スイッチＣ３ｂがある。このような送受話器Ｃを使用して通話する場合、送受話器Ｃを手に取ることなく通話することも可能であり、送受話器Ｃは、いわゆるスピーカホン機能を有している。
【００２９】
このような使用形態の電話機に接続された電話回線２１においては、交換局からの提供サービスとして、呼び出し時に相手先の電話番号を識別情報として通知するサービスが付加されており、このような番号通知サービスを受けた電話機では、相手先からの呼び出し時、その相手先の電話番号が表示可能とされている。このような呼び出し時に相手先電話番号を表示することをナンバーディスプレイという。つまり、相手先からの呼び出しを受けた時、送受話器Ｃの表示パネルＣ４にナンバーディスプレイ機能によって、その相手先の電話番号が表示されるようになっており、使用者は、表示パネルＣ４に表示された相手先の電話番号を確認することによって、その相手先と通話するかしないかの予断が可能とされている。
【００３０】
また、交換局の他の提供サービスとして、一の相手先との通話中に別の相手先から呼び出しを受けた場合、通話音に重ねて呼び出し音を伝送する、いわゆるキャッチホンサービスがある。本実施形態の電話機においては、このキャッチホンサービスの提供も受けており、送受話器Ｃを使用して一の相手先と通話中、別の相手先からの呼出信号を受信した場合、上記フックスイッチＣ３ａを１回押下することによって通話相手を切り替え可能としている。
【００３１】
次に、図２は、図１に示した送受話器Ｃの回路ブロック図であって、送受話器Ｃは、ＣＰＵ１、ＲＡＭ２、ＲＯＭ３、ＥＥＰＲＯＭ４、ゲートアレイ５、ＤＭＡＣ６、音声入力部１１、音声出力部１２、操作部１３、表示部１４、情報交換部１５、および電源部１７を具備して構成されている。ＣＰＵ１、ＲＡＭ２、ＲＯＭ３、ＥＥＰＲＯＭ４、ゲートアレイ５、およびＤＭＡＣ６は、バス線により相互に接続されている。バス線には、アドレスバス、データバス、および制御信号線が含まれる。ゲートアレイ５には、音声入力部１１、音声出力部１２、操作部１３、表示部１４、情報交換部１５、および電源部１７が接続されている。なお、電話回線２１に接続されて網制御を行うＮＣＵや、音声信号を電話回線２１を介して送受信するための通話回路は、電話機本体Ａに設けられており、これらＮＣＵや通話回路は、送受話器Ｃから無線によって制御可能とされている。
【００３２】
ＣＰＵ１は、送受話器Ｃ全体を制御する。ＲＡＭ２は、送受話器Ｃに内蔵された充電電池などの電池（図示省略）により電源バックアップが処置されており、リダイヤルデータや留守番録音した音声データなどの各種のデータを記憶する。ＲＯＭ３は、各種のプログラムや初期設定値などのデータを記憶している。ＥＥＰＲＯＭ４は、各種のフラグや登録データなどを記憶する。ゲートアレイ５は、ＣＰＵ１の入出力インターフェースとして機能する。ＤＭＡＣ６は、ＲＡＭ２へのデータの書き込みや読み出しを行う。
【００３３】
音声入力部１１は、マイクロホンなどを備えており、使用者の発した音声をアナログ信号として情報交換部１５に出力する。音声出力部１２は、スピーカなどを備えており、通話時における相手先の音声信号などを可聴音として出力する。操作部１３は、キースイッチ群などからなり、電話番号を入力するためのテンキーやフックスイッチＣ３ａなどを備え、使用者の操作に応じた操作信号を出力する。表示部１４は、表示パネルＣ４を備えており、ＣＰＵ１により制御されて相手先の電話番号などを表示することにより、ナンバーディスプレイ機能を有する。情報交換部１５は、無線により各種信号を送受信するためのアンテナなどを備え、電話機本体Ａとの間で交換される音声信号や制御信号を送受信する。電源部１７は、充電器Ｂとの接点となる電力供給用の端子や充電電池などを備えており、送受話器Ｃの回路全体に対して電力を供給する。
【００３４】
要点について説明すると、電話機本体Ａは、電話回線２１を介して受信した相手先からの呼出信号や音声信号を送受話器Ｃの情報交換部１５に無線によって転送する。また、電話機本体Ａは、呼出信号に付加して相手先の電話番号を受信情報（以下、「コーラＩＤ」という）として受信するとともに、その相手先電話番号も情報交換部１５に転送する。そして、送受話器Ｃを使用して通話中、別の相手先から呼び出しを受けると、通話音に重ねて呼び出し音が音声出力部１２から出力され、表示パネルＣ４には、その相手先の電話番号が表示される。このとき、キャッチホン機能を利用して通話相手を切り替える場合、フックスイッチＣ３ａを１回押下することにより、通話中の相手先および別の相手先との通話が保留される。その後、使用者は、表示パネルＣ４によって相手先の電話番号を確認した後、その別の相手先との通話に切り替えるか否かを判断することができる。具体的には、再度フックスイッチＣ３ａを押下することによって通話相手が切り替えられる一方、操作部１３における保留解除スイッチＣ３ｂを押下することによって通話相手を切り替えることなく通話中の相手先との通話が続行される。
【００３５】
すなわち、ＣＰＵ１は、ＲＯＭ３に格納されたプログラムに基づいて動作することにより、一の相手先通信端末との通信中、別の相手先通信端末からの呼出信号を受信した場合、その別の相手先通信端末の識別情報を表示パネルに表示させる相手先表示制御手段と、一の相手先通信端末との通信中、別の相手先通信端末からの呼出信号を受信した場合、所定の保留操作に応じて、両相手先との通信を一旦中断して保留状態とする保留制御手段と、保留制御手段によって両相手先との通信が保留状態とされた後、その保留状態を解除するために必要な所定の保留解除操作がなされたか否かを判定する保留解除判定手段と、保留解除判定手段により所定の保留解除操作がなされたと判定された場合、一の相手先通信端末または別の相手先通信端末のいずれかの相手先との通信を再開させる通信再開制御手段とを実現している。
【００３６】
また、ＲＯＭ３は、通信回線を介して任意の相手先通信端末と送受信するための送受信器を備えるとともに、各相手先通信端末に割り当てられた識別情報を表示可能な表示パネルが上記送受信器の所定部位に設けられており、一の相手先通信端末との通信時、別の相手先通信端末からの呼出信号を受信すると、所定の切り替え操作に応じて、一の相手先通信端末から別の相手先通信端末に通信相手を切り替えることが可能な通信装置を制御するためのプログラムを記憶した記憶媒体であって、一の相手先通信端末との通信中、別の相手先通信端末からの呼出信号を受信した場合、その別の相手先通信端末の識別情報を表示パネルに表示させるための相手先表示制御プログラムと、一の相手先通信端末との通信中、別の相手先通信端末からの呼出信号を受信した場合、所定の保留操作に応じて、両相手先との通信を一旦中断して保留状態とするための保留制御プログラムと、保留制御プログラムに基づいて両相手先との通信が保留状態とされた後、その保留状態を解除するために必要な所定の保留解除操作がなされたか否かを判定するための保留解除判定プログラムと、保留解除判定プログラムに基づいて所定の保留解除操作がなされたと判定された場合、一の相手先通信端末または別の相手先通信端末のいずれかの相手先との通信を再開させるための通信再開制御プログラムとを含む記憶媒体を実現している。
【００３７】
次に、上記構成を有する送受話器Ｃの動作の要点について、図３に示すフローチャートを参照して説明する。
【００３８】
図３は、子機電話として使用される送受話器Ｃの通話相手切り替え処理手順を示したフローチャートであって、この図に示すように、まず、ＣＰＵ１は、一の相手先との通話処理を行っているものとする（Ｓ１）。
【００３９】
そして、ＣＰＵ１は、一の相手先との通話中に別の相手先からの呼出信号を情報交換部１５を介して受信したか否かを判断している（Ｓ２）。
【００４０】
呼出信号を受信した場合（Ｓ２：ＹＥＳ）、ＣＰＵ１は、受信した呼出信号に別の相手先の電話番号に関するコーラＩＤが付加されているか否かを判断する（Ｓ３）。
【００４１】
呼出信号にコーラＩＤが付加されている場合（Ｓ３：ＹＥＳ）、ＣＰＵ１は、表示パネルＣ４に受信した相手先の電話番号などを表示させる（Ｓ４）。つまり、ナンバーディスプレイ機能が実行される。
【００４２】
次いで、ＣＰＵ１は、使用者によって操作部１３におけるフックスイッチＣ３ａが１回押下されたか否かを判断する（Ｓ５）。
【００４３】
フックスイッチＣ３ａが押下されると（Ｓ５：ＹＥＳ）、ＣＰＵ１は、一の相手先との通話状態がスピーカホン機能による通話状態であるか否かを判断し（Ｓ６）、スピーカホン状態でない場合（Ｓ６：ＮＯ）、ＣＰＵ１は、両相手先との通話ができない通話を保留した状態とする（Ｓ７）。この通話が保留された期間中、使用者は、表示パネルＣ４を見て呼出信号の送信元である別の相手先の電話番号を確認することができる。
【００４４】
その後、ＣＰＵ１は、使用者によって操作部１３における保留解除スイッチＣ３ｂが押下されたか否かを判断するとともに（Ｓ８）、再度フックスイッチＣ３ａが押下されたか否かを判断する（Ｓ９）。
【００４５】
保留解除スイッチＣ３ｂが押下されることなく（Ｓ８：ＮＯ）、再度フックスイッチＣ３ａが押下されると（Ｓ９：ＹＥＳ）、ＣＰＵ１は、先に通話中であった一の相手先から別の相手先との通話処理に切り替える（Ｓ１０）。通話相手が切り替えられた後、ＣＰＵ１は、通話処理を再開させ（Ｓ１１）、このルーチンを終了する。
【００４６】
Ｓ９において、再度フックスイッチＣ３ａが押下されない場合（Ｓ９：ＮＯ）、ＣＰＵ１は、Ｓ８に戻って保留解除操作がなされた否かの判断処理を繰り返し実行する。
【００４７】
Ｓ８において、保留解除スイッチＣ３ｂが押下されると（Ｓ８：ＹＥＳ）、ＣＰＵ１は、Ｓ１０の通話相手を切り替える処理を実行することなく、先に通話中であった一の相手先との通話が保留された状態を解除する（Ｓ１２）。その後、ＣＰＵ１は、Ｓ１１に飛んで一の相手先との通話を再開させる。
【００４８】
Ｓ６において、スピーカホン状態である場合（Ｓ６：ＹＥＳ）、ＣＰＵ１は、Ｓ７の通話を保留させる処理を行うことなく、直ちに通話処理の切り替えを実行し（Ｓ１３）、Ｓ１１に飛んで別の相手先との通話を開始させる。
【００４９】
Ｓ５において、フックスイッチＣ３ａが押下されない場合（Ｓ５：ＮＯ）、ＣＰＵ１は、Ｓ１に戻って一の相手先との通話処理を継続させる。
【００５０】
Ｓ３において、呼出信号にコーラＩＤが付加されていない場合（Ｓ３：ＮＯ）、ＣＰＵ１は、使用者によって操作部１３におけるフックスイッチＣ３ａが１回押下されたか否かを判断する（Ｓ１４）。フックスイッチＣ３ａが押下されると（Ｓ１４：ＹＥＳ）、ＣＰＵ１は、Ｓ１３に飛んで直ちに通話処理の切り替えを実行する（Ｓ１３）。逆に、フックスイッチＣ３ａが押下されない場合（Ｓ１４：ＮＯ）、ＣＰＵ１は、Ｓ１に戻って一の相手先との通話処理を継続させる。
【００５１】
Ｓ２において、別の相手先からの呼出信号を受信していない場合（Ｓ２：ＮＯ）、ＣＰＵ１は、Ｓ１に戻って一の相手先との通話処理を継続させる。
【００５２】
したがって、上記構成、動作を有する子機電話として使用される送受話器Ｃを備えた電話機によれば、一の相手先との通話中、別の相手先からの呼出信号を受信した場合、その別の相手先の電話番号が表示パネルＣ４に表示されるとともに、その表示パネルＣ４にて相手先電話番号を確認した使用者がフックスイッチＣ３ａを操作することにより、一時的に両相手先との通信を行うことなく保留させることができる。その保留後、先の通話中であった相手先との通話を継続させる場合は、保留解除スイッチＣ３ｂを操作することによってその先の通話相手との通話を再開させることができるとともに、通話相手を別の相手先に切り替えたい場合は、再度フックスイッチＣ３ａを操作することで通話相手を切り替えて通話を再開させることができる。
【００５３】
なお、本実施形態においては、子機電話として利用される送受話器Ｃに上記機能が備えられているが、そのような機能を電話機本体Ａに備えるようにしてもよい。この場合、無線による情報交換によって電話機本体Ａが送受話器Ｃの各種動作を制御することとなる。
【００５４】
また、その他の実施形態として、通話が保留状態とされている間、ＣＰＵ１の制御によって相手先に対して「しばらくお待ち下さい」といった音声や、保留メロディを送出することとしてもよい。
【００５５】
【発明の効果】
以上説明したように、請求項１に記載した発明の通信装置によれば、一の相手先通信端末との通信中、別の相手先通信端末からの呼出信号を受信した場合、その別の相手先通信端末の識別情報が表示パネルに表示されるとともに、所定の保留操作を行うことによって一時的に両相手先との通信を行うことなく保留させることができ、その保留後、所定の保留解除操作によっていずれかの相手先との通信を再開させることができる。
【００５６】
また、請求項２に記載した発明の通信装置によれば、請求項１に記載の通信装置による効果に加えて、両相手先との通信が保留された後、再選操作に応じて通信中であった通信相手との通信が再開され、それに対し、切り替え操作に応じて呼び出しを受けた通信相手との通信が開始されるので、通信が保留された後の操作手順に応じて所望の通信相手を選択することができる。
【００５７】
さらに、請求項３に記載した発明の通信装置によれば、請求項１または請求項２に記載の通信装置による効果に加えて、送受信器がマイクロホンおよびスピーカを内蔵した把持可能な送受話器であるので、そのような送受話器を備えた、たとえば各種形態の電話機や携帯電話などにおいて有効に利用することができる。
【００５８】
また、請求項４に記載した発明の通信装置によれば、請求項３に記載の通信装置による効果に加えて、送受話器が通信装置本体と無線方式で情報交換するコードレス型であるので、そのようなコードレス型の送受話器を備えた、たとえば電話機本体とは別の充電器などに保持される子機電話などにおいて有効に利用することができる。
【００５９】
さらに、請求項５に記載した発明の通信装置によれば、請求項３または請求項４に記載の通信装置による効果に加えて、送受話器を手に取ることなく通話されている場合、切り替え操作がなされた時点で別の相手先との通話が可能となるので、たとえば子機電話などにおける一機能として、いわゆるスピーカホン機能を使用している状況において有効に利用することができる。
【００６０】
また、請求項６に記載した発明の記憶媒体によれば、記憶されたプログラムに基づいてＣＰＵを動作させることにより、請求項１に記載の通信装置の動作を実現することができる。
【図面の簡単な説明】
【図１】本発明にかかる通信装置の一例として、コードレス型の子機電話を備えた電話機の使用形態を示した概略説明図である。
【図２】図１に示した送受話器Ｃの回路ブロック図である。
【図３】子機電話として使用される送受話器Ｃの通話相手切り替え処理手順を示したフローチャートである。
【符号の説明】
１      ＣＰＵ
２      ＲＡＭ
３      ＲＯＭ
４      ＥＥＰＲＯＭ
５      ゲートアレイ
６      ＤＭＡＣ
１１    音声入力部
１２    音声出力部
１３    操作部
１４    表示部
１５    情報交換部
１７    電源部
Ａ      電話機本体
Ｂ      充電器
Ｃ      送受話器
Ｃ１    マイクロホン部
Ｃ２    スピーカ部
Ｃ３    キースイッチ群
Ｃ３ａ  フックスイッチ
Ｃ３ｂ  保留解除スイッチ
Ｃ４    表示パネル
【図１】
0003777779.tif 000002
【図２】
0003777779.tif 000003
【図３】
0003777779.tif 000004